(57)【要約】【課題】複数のチューナを備えた移動体用のデジタル放送受信装置であって、サブチューナによる裏サーチを効率的に行うことが可能な送受信装置を提供する。【解決手段】本発明の放送受信装置は、第一チューナの受信放送波と同一または類似すると推定される放送波を受信可能な系列チャンネル（第一チューナ受信チャンネルを含む）を、第二チューナにより検出する検出部を備える。また第一チューナの受信放送波に含まれる情報を解析し、この放送波の受信が所定時間を超えて継続される確率を示す受信継続度を算出する継続度算出部を備える。また検出部が系列チャンネルの受信感度を検出する頻度と、それ以外の周波数帯域の受信感度を検出する頻度との比率を、受信継続度に基づいて決定する検出制御部を備える。検出制御部は、各周波数帯域の受信感度の検出を行う順序をこの比率に基づいて決定し、決定した順序で検出を行うよう検出部を制御する。【選択図】図６
2012138788.tif 000002
【特許請求の範囲】
【請求項１】
放送波の受信及び選局を行うチューナを複数含む放送受信部を備えるデジタル放送受信装置において、
選局指示を受け付け、選局指示された放送波を前記放送受信部が含む第一チューナにより受信するよう前記放送受信部を制御する選局制御部と、
放送波を受信可能な周波数帯域、及び該周波数帯域の受信感度を、前記放送受信部が含む第二チューナにより検出するとともに、前記第一チューナにより受信されている放送波と同一または類似すると推定される放送波を受信可能な周波数帯域である系列チャンネルを前記第二チューナにより検出するよう前記放送受信部を制御する検出部と、
前記第一チューナにより受信されている放送波に含まれる情報を解析し、前記解析の結果に基づいて、該放送波の受信が予め定められた時間を超えて継続される確率を示す受信継続度を算出する継続度算出部と、
前記検出部が前記系列チャンネルの受信感度を検出する頻度と、前記検出部が前記系列チャンネルを除く周波数帯域の受信感度を検出する頻度との比率を、前記受信継続度に基づいて決定し、各周波数帯域の受信感度の検出を行う順序を前記比率に基づいて決定し、決定した前記順序で該検出を行うよう前記検出部を制御する、検出制御部とを備えること
を特徴とするデジタル放送受信装置。
【請求項２】
前記継続度算出部は、前記解析において、放送局の種別、放送番組の分野、または放送番組の放送残り時間を前記情報に基づいて判別し、前記判別の結果に基づいて前記受信継続度を算出すること
を特徴とする請求項１に記載のデジタル放送受信装置。
【請求項３】
前記検出部は、予め定められた順序で前記第二チューナにより各周波数帯域の受信感度を検出するよう前記放送受信部を制御し、
前記検出制御部は、前記順序に基づいて該受信感度の検出をｎ回（ｎは０を含む自然数）行うごとに、前記系列チャンネルの受信感度の検出を行うよう前記検出部を制御するとともに、前記ｎの値を前記受信継続度に基づいて決定すること
を特徴とする請求項２に記載のデジタル放送受信装置。
【請求項４】
前記検出部は、放送局の識別情報と該放送局から放送波を受信するための前記系列チャンネルとを関連付けた情報であり、前記系列チャンネルごとの使用優先度を前記検出部による検出結果に基づいて示した情報である関連情報を生成し、
前記選局制御部は、前記系列チャンネルを前記関連情報に基づいて判別し、前記使用優先度に基づく順で前記第一チューナによる選局、及び受信の試行を行うよう前記放送受信部を制御すること
を特徴とする請求項３に記載のデジタル放送受信装置。
【発明の詳細な説明】
【技術分野】
【０００１】
本発明は、放送波を受信するデジタル放送受信装置に関するものであり、特に複数のチューナを備えた移動体用のデジタル放送受信装置に関する。
【背景技術】
【０００２】
近年、デジタル放送の一つとして、地上デジタルＴＶ放送が実施されている。日本においては現行の地上アナログＴＶ放送は２０１１年に放送終了予定であり、地上デジタルＴＶ放送への移行が進められている。これに伴い、カーナビや携帯電話等に搭載される移動体用のデジタル放送受信装置も、広く開発が行われている。
【０００３】
地上デジタルＴＶ放送では、広地域で同一の放送を実現するため、親局から送出された電波を中継局が受け、中継局から再送信する仕組みを用いている。特に移動体用のデジタル放送受信装置では、放送局ごとの中継局の物理チャンネルを示すテーブルを保持し、任意の放送局がユーザ操作により選局された場合に、テーブルに含まれる物理チャンネルをサーチする機能を備えるものがある。
【０００４】
また、受信状態が劣化した場合に、デジタル放送受信装置が自動で中継局や系列局などの物理チャンネルをサーチし、受信状態がよい物理チャンネルに切り替える機能を備えるものもある。
【０００５】
例えば車載用のデジタル放送受信装置であれば、走行中に自車の位置や速度等により受信状態が刻々と変化する。そして現在の放送地域と移動先の地域との境界域に近づくにつれて、現在の放送地域に向けられた放送波の受信が困難となる。そして移動先の地域に向けられた放送波の受信が可能となる。上記のサーチ機能は、このような境界域において効果を発揮する。
【０００６】
また移動体用のデジタル放送受信装置の中には、常に変化する受信状態に対応するため、ユーザが視聴に用いるチューナ（以下、「メインチューナ」という）と、受信感度が良好な物理チャンネルをバックグラウンドでサーチするためのチューナ（以下、「サブチューナ」という）との複数のチューナを備えているものがある。
【０００７】
このようなデジタル放送受信装置は、ユーザが指定した番組をメインチューナで受信するとともに、受信中の番組と同番組を放送しており且つ受信感度のよい物理チャンネルを、サブチューナで検出（以下、「裏サーチ」という）する。
【０００８】
ただし同番組を放送している系列局のチャンネル情報は、地域によって異なるため、受信中の放送データからは把握できない。また、ユーザがチャンネルを変更した場合に、変更後のチャンネルの受信感度がよいとは限らない。このため、受信可能な物理チャンネルを、常に裏サーチし続ける必要がある。
【０００９】
例えば地上デジタルＴＶ放送であれば、ＵＨＦ帯の１３ｃｈから６２ｃｈまでの全５０ｃｈについて、常に裏サーチを行う。そしてメインチューナの受信感度が低下した場合に、予め裏サーチしてある受信感度のよい物理チャンネルに切り替える。これにより、ユーザがより好適な状態で視聴を継続できるようにする。
【００１０】
上記に関連して特許文献１においては、頻繁な再選局動作を防ぎ、好適な受信状態を維持できると共に、好適な受信レベルのチャンネルを選局することを目的としたデジタル放送受信装置が開示されている。
【先行技術文献】
【特許文献】
【００１１】
【特許文献１】特開２００７−３１２１１０号公報
【発明の概要】
【発明が解決しようとする課題】
【００１２】
特許文献１に開示されているような従来のデジタル放送受信装置によれば、受信状態が悪化した時点で、同番組を放送している中継局の物理チャンネルを放送データから把握し、ユーザ操作を必要とすることなく選局することができる。
【００１３】
しかしながら、全ての物理チャンネルを均等に裏サーチする場合、裏サーチ一周期の時間（＝全５０ｃｈの裏サーチにかかる時間）が非常に長くなる。このため、放送局をあまり変更しないユーザにしてみれば、バックグラウンドで不要な処理が頻繁に実行されていることとなる。つまり演算資源を無駄に消費しており、効率のよい裏サーチとは言えない。
【００１４】
例えば、ユーザが一放送局の番組を視聴し続けるだけの状態であれば、選局中の放送局の中継局または系列局に割り当てられている物理チャンネル（以下、「系列チャンネル」という）のみを裏サーチし、この中からより受信感度のよい物理チャンネルを探し当てることが望ましい。この場合、裏サーチ一周期の時間を短縮することができる。
【００１５】
逆に、ユーザが放送局を頻繁に変更する場合、系列チャンネルを優先的に裏サーチしたとしても、あまり意味がない。むしろ、全物理チャンネルに対して均等に裏サーチを行い、新たに選局される可能性のある放送局の系列チャンネルについて、予め調査しておくことが望ましい。このように、ユーザの視聴状況に応じて、望ましい裏サーチの形態が異なるという問題がある。
【００１６】
本発明は、上記の問題を解決するためになされたものであって、その目的は、複数のチューナを備えた移動体用のデジタル放送受信装置であって、サブチューナによる裏サーチを効率よく行うことが可能な送受信装置を提供することにある。
【課題を解決するための手段】
【００１７】
上記目的を達成するために本発明のデジタル放送受信装置は、放送波の受信及び選局を行うチューナを複数含む放送受信部を備えるデジタル放送受信装置において、選局指示を受け付け、選局指示された放送波を前記放送受信部が含む第一チューナにより受信するよう前記放送受信部を制御する選局制御部と、放送波を受信可能な周波数帯域、及び該周波数帯域の受信感度を、前記放送受信部が含む第二チューナにより検出するとともに、前記第一チューナにより受信されている放送波と同一または類似すると推定される放送波を受信可能な周波数帯域である系列チャンネル（前記第一チューナの受信中チャンネルを含む）を前記第二チューナにより検出するよう前記放送受信部を制御する検出部と、前記第一チューナにより受信されている放送波に含まれる情報を解析し、前記解析の結果に基づいて、該放送波の受信が予め定められた時間を超えて継続される確率を示す受信継続度を算出する継続度算出部と、前記検出部が前記系列チャンネルの受信感度を検出する頻度と、前記検出部が前記系列チャンネルを除く周波数帯域の受信感度を検出する頻度との比率を、前記受信継続度に基づいて決定し、各周波数帯域の受信感度の検出を行う順序を前記比率に基づいて決定し、決定した前記順序で該検出を行うよう前記検出部を制御する、検出制御部とを備えることを特徴とする。
【００１８】
この構成によると、本発明のデジタル放送受信装置は、複数のチューナを含む放送受信部を備える。また、選局指示を受け付け、選局指示された放送波を第一チューナにより受信するよう放送受信部を制御する選局制御部を備える。また、各周波数帯域の受信感度を第二チューナにより検出するよう放送受信部を制御する検出部を備える。検出部はさらに、第一チューナにより受信されている放送波と同一または類似すると推定される放送波を受信可能な周波数帯域である系列チャンネル（第一チューナ受信チャンネルを含む）を、第二チューナにより検出する。また本発明のデジタル放送受信装置は、第一チューナにより受信されている放送波に含まれる情報、例えばＥＰＧ（Electronic Program Guide）等を解析し、解析結果に基づいて、この放送波の受信が所定時間を超えて継続される確率を示す受信継続度を算出する継続度算出部を備える。また、検出部が系列チャンネルの受信感度を検出する頻度と、検出部が系列チャンネルを除く周波数帯域の受信感度を検出する頻度との比率を、受信継続度に基づいて決定する検出制御部を備える。検出制御部はさらに、各周波数帯域の受信感度の検出を行う順序をこの比率に基づいて決定し、決定した順序で検出を行うよう、検出部を制御する。
【００１９】
また上記目的を達成するために前記継続度算出部は、前記解析において、放送局の種別、放送番組の分野、または放送番組の放送残り時間を前記情報に基づいて判別し、前記判別の結果に基づいて前記受信継続度を算出することを特徴とする。
【００２０】
この構成によると、継続度算出部は、第一チューナにより受信されている放送波の解析において、受信している放送波の放送局の種別、放送番組の分野、または放送番組の放送残り時間を判別し、この判別結果に基づいて受信継続度を算出する。
【００２１】
また上記目的を達成するために前記検出部は、予め定められた順序で前記第二チューナにより各周波数帯域の受信感度を検出するよう前記放送受信部を制御し、前記検出制御部は、前記順序に基づいて該受信感度の検出をｎ回（ｎは０を含む自然数）行うごとに、前記系列チャンネルの受信感度の検出を行うよう前記検出部を制御するとともに、前記ｎの値を前記受信継続度に基づいて決定することを特徴とする。
【００２２】
この構成によると、検出部は、予め定められた順序で各周波数帯域の受信感度を検出するよう前記放送受信部を制御する。また検出制御部は、この順序に基づいて受信感度の検出をｎ回（ｎは０を含む自然数）行うごとに、系列チャンネルの受信感度の検出を行うよう、検出部を制御する。また検出制御部は、上記ｎの値を、受信継続度に基づいて決定する。なお検出制御部は、受信継続度が大きくなるにつれ、ｎの値を小さくするように制御することが望ましい。
【００２３】
また上記目的を達成するために前記検出部は、放送波の識別情報と該放送波を受信するための前記系列チャンネルとを関連付けた情報であり、前記系列チャンネルごとの使用優先度を前記検出部による検出結果に基づいて示した情報である関連情報を生成し、前記選局制御部は、前記系列チャンネルを前記関連情報に基づいて判別し、前記使用優先度に基づく順で前記第一チューナによる選局、及び受信の試行を行うよう前記放送受信部を制御することを特徴とする。
【００２４】
この構成によると、検出部は、放送波の識別情報とこの放送波を受信するための系列チャンネルとを関連付けた情報である関連情報を生成する。また検出部は、系列チャンネルごとの使用優先度を、検出部の検出結果に基づいて決定して関連情報に含める。選局制御部は、系列チャンネルをこの関連情報に基づいて判別し、使用優先度に基づく順で第一チューナによる選局、及び受信試行を行うよう、放送受信部を制御する。
【発明の効果】
【００２５】
本発明によれば、選局中の放送局で放送されている番組の内容を解析し、ユーザが同一の放送波を受信し続ける可能性が高い場合は、中継局または系列局の物理チャンネルを裏サーチ（＝受信感度検出）する頻度を高めるよう、裏サーチ順序を変更する。そして変更後の裏サーチ順序で裏サーチを行って関連情報を更新する。
【００２６】
逆に可能性が低い場合は、全物理チャンネルに対して均等に裏サーチを行って関連情報を更新し、ユーザからの選局指示に備える。そして選局指示がなされた場合、または受信状態が悪くなった場合に、関連情報を用いて受信状態のよい周波数帯域に切り替える。これにより、状況に応じた効率のよい裏サーチを実施することが可能である。
【図面の簡単な説明】
【００２７】
【図１】本発明の一実施形態に係るデジタル放送受信装置の内部構成を示すブロック図である。
【図２】本発明の一実施形態に係る機能部の構成を示すブロック図である。
【図３】本発明の一実施形態に係る選局候補テーブルを示すテーブル図である。
【図４】本発明の一実施形態に係る重み付けテーブルを示すテーブル図である。
【図５】本発明の一実施形態に係る裏サーチ順序を示す模式図である。
【図６】本発明の一実施形態に係る裏サーチ処理を示すフロー図である。
【発明を実施するための形態】
【００２８】
以下に本発明の実施形態を、図面を参照しながら説明する。なお、ここで示す実施形態は一例であり、本発明はここに示す実施形態に限定されるものではない。
〈１．内部構成について〉
図１は、本発明の一実施形態に係る車載用受信装置１００（＝デジタル放送受信装置）の内部構成を示すブロック図である。図１のブロック図に示すように、本発明の車載用受信装置１００は、外部接続される装置として複数のダイバーシティアンテナ１を備えている。
【００２９】
また車載用受信装置１００は少なくとも、メインチューナ１１ａ（＝第一チューナ）、メインチューナ１１ｂ（＝第一チューナ）、サブチューナ１１ｃ（＝第二チューナ）からなるチューナ群１１（＝放送受信部）、復調部１２（＝放送受信部）、操作入力部１３、ＣＰＵ１４、ＲＡＭ１５、ＲＯＭ１６、オーディオフィルタ２１、オーディオデコーダ２１、Ｄ／Ａコンバータ２３、ＬＰＦ／ドライバ２４、音声出力部２５、ビデオフィルタ３１、ビデオデコーダ３２、画像処理部３３、Ｄ／Ａコンバータ３４、ＬＰＦ／ドライバ３５、画像出力部３６を備えている。
【００３０】
チューナ群１１は、ダイバーシティアンテナ１から地上デジタルＴＶ放送信号を受信し、所望の物理チャンネル（＝周波数帯域）での選局を行う。またチューナ群１１は、選局中の物理チャンネルにおいて放送波が受信不可となったか否かを監視する。具体的には例えば、車載用受信装置１００を搭載した車両が受信地域を跨ぐ等により、これまで受信していた放送波の電界強度が所定の閾値を下回った場合に、受信不可となったとみなす。
【００３１】
メインチューナ１１ａ及びメインチューナ１１ｂは、ユーザに選局指示された放送波を受信するためのチューナである。サブチューナ１１ｃは、後述する裏サーチ部１４ｂにより裏サーチに用いられるチューナである。
【００３２】
復調部１２は、チューナ群１１から入力される選局された信号を復調及びエラー訂正し、ワンセグと１２セグとの、それぞれのＴＳ（Transport Stream）を出力する。復調部１２により復調されたＴＳは、後述するオーディオフィルタ２１、ビデオフィルタ３１、及びデータフィルタ４１に与えられる。
【００３３】
なお、ワンセグ放送のみに対応した機器の場合は、受信できるのはワンセグにかかるデジタル放送信号のみとなる。このため、こういった機器における復調部１２では、チューナ１１により受信されたデジタル放送信号からワンセグにかかるＴＳ信号を出力するものとする。
【００３４】
操作入力部１３は、不図示のリモコン、及びリモコン受光部を含む。リモコンには、車載用受信装置１００に対して選局指示等を行うための、プッシュボタンやタッチセンサ等が含まれている。また操作入力部１３は、車載用受信装置１００のハウジングに設けられたハードキーやタッチパネル等を含む。操作入力部１３は、上記装置のいずれかにより受け付けたユーザ操作に基づく操作信号を生成し、出力する。なお操作入力部１３は、必ずしも上記装置の全てを含む必要はなく、上記装置の一部のみを含む形態でもよい。
【００３５】
ＣＰＵ１４は、各種演算、処理、制御を行う演算処理装置である。ＣＰＵ１４は、車載用受信装置１００の各部材の駆動を有機的に制御して、放送受信処理等を統括制御する。ＲＡＭ１５は、ＣＰＵ１４のワークメモリ等に用いられる。ＲＯＭ１６は、ＣＰＵ１４が実行する制御プログラム等を格納する。
【００３６】
オーディオフィルタ２１は、復調部１２から出力されたＴＳからオーディオデータのみを抽出する。オーディオデコーダ２２は、抽出されたオーディオデータを復号し、デジタル音声信号を出力する。デジタル音声信号は、ワンセグと１２セグとが切り替えられて（より具体的には、１２セグ視聴中／録画中に受信状態が悪化するとワンセグに切り替えられ、ワンセグ視聴中／録画中に受信状態が良好になると１２セグに切り替えられ）、Ｄ／Ａコンバータ２３に出力される。
【００３７】
Ｄ／Ａコンバータ２３は、オーディオデコーダ２２から入力されるデジタル音声信号をアナログベースバンド信号に変換し、ＬＰＦ／ドライバ２４を介して音声出力部２５へ出力する。音声出力部２５は、スピーカ等の音声装置を接続して音声信号を出力するための出力端子を含む。
【００３８】
ビデオフィルタ３１は、復調部１２から出力されたＴＳからビデオデータのみを抽出する。ビデオデコーダ３２は、抽出されたビデオデータを復号し、デジタル映像信号を出力する。デジタル映像信号は、ワンセグと１２セグとが切り替えられて（より具体的には、１２セグ視聴中／録画中に受信状態が悪化するとワンセグに切り替えられ、ワンセグ視聴中／録画中に受信状態が良好になると１２セグに切り替えられ）、画像処理部３３に出力される。
【００３９】
映像処理部３３は、ビデオデコーダ３２から入力されるデジタル映像信号の映像サイズを変更するスケーラ機能や、文字等を重畳するＯＳＤ（On Screen Display）機能を有する。なおＯＳＤ機能が描画に用いる画像データやテキストデータは、ＲＯＭ１６等に予め記録されている。或いは、後述するデータデコーダ４２により復号されるデータを用いることも可能である。
【００４０】
Ｄ／Ａコンバータ３４は、映像処理部３３から入力される映像信号をアナログ映像信号に変換し、ＬＰＦ／ドライバ３５を介して画像出力部３６へ出力する。画像出力部３６は、液晶パネル等の表示装置を接続して画像信号を出力するための出力端子を含む。
【００４１】
データフィルタ４１は、復調部１２から出力されたＴＳから伝送パラメータ、ＮＩＴ（Network Information Table）、番組情報、データ放送等のデータを抽出する。データデコーダ４２は、抽出されたデータを復号する。復号されたデータは、ＲＡＭ１５等に記録される。
〈２．機能部の構成について〉
ここで、本発明の一実施形態に係る裏サーチ処理を実施するための各機能部の関係を、図２の機能ブロック図を用いながら説明する。なお図２においてＣＰＵ１４の内部に図示されている機能ブロックは、ＣＰＵ１４が所定のプログラムを実行することにより実現される機能部を表している。
【００４２】
図２に示すように、本実施形態のサーチ処理は、サーチ部１４ａ（＝選局制御部）、裏サーチ部１４ｂ（＝検出部）、算出部１４ｃ（＝継続度算出部）、及びサーチ順変更部１４ｄ（＝検出制御部）により実施される。
【００４３】
サーチ部１４ａは、所定の放送局からの放送波を受信するためのチャンネルサーチ（以下、「サーチ」という）を行う。サーチ部１４ａは、後述する裏サーチ部１４ｂが生成する選局候補テーブル（＝関連情報）を用いて、ユーザに選局指示された放送波の物理チャンネルを判別し、受信を試行する。受信に成功した場合、この物理チャンネルを用いて放送波の受信を開始する。
【００４４】
受信に失敗した場合、サーチ部１４ａは選局候補テーブルに含まれる未チェックの物理チャンネルを抽出し、受信を試行する。この繰り返しを行い、受信できる物理チャンネルが検知されなかった場合に、サーチに失敗したとみなす。なお、サーチ部１４ａによるサーチは、ユーザが選局操作を行った場合や、受信中の放送波の受信感度が低下したことが検知された場合等に実行される。
【００４５】
裏サーチ部１４ｂは、車載用受信装置１００の電源投入と共に、ＵＨＦ帯の全５０ｃｈチャンネルの裏サーチを開始する。なお裏サーチは、サブチューナ１１ｃを用いて行う。そして受信可能な物理チャンネルを解析すると共に、放送波に含まれるＮＩＴやＰＡＴ（Program Association Table）、ＰＭＴ（Program Map Table）等の解析により、各放送局の中継局の物理チャンネル（＝系列チャンネル）を判別する。
【００４６】
なお裏サーチ部１４ｂが実施する裏サーチ処理は、サーチ部１４ａが実施するサーチ処理と併行して行う。裏サーチ部１４ｂは、裏サーチの結果に基づいて、図３に示す選局候補テーブルの生成及び更新を行う。図３（ａ）〜図３（ｃ）は、時間経過とともに更新された選局候補テーブルの推移の一例を示している。
【００４７】
図中の「ＮｅｔｗｏｒｋＩＤ」欄は、予め放送局ごとに割り当てられている識別情報を示している。「ＮｅｔｗｏｒｋＩＤ」に関連付けられているデータとして、予めリモコンのボタンに割り当てられているボタン番号と、一放送局に対する系列チャンネルと、各系列チャンネルのＣ／Ｎ比とが存在する。
【００４８】
図３の例では、Ｃ／Ｎ比が大きい、つまり受信感度がよい系列チャンネルほど、テーブルの左方向に配置されて優先順位（＝使用優先度）が高くなっている。またＣ／Ｎ比が小さい、つまり受信感度が悪い系列チャンネルほど、テーブルの右方向に配置されて優先順位が低くなっている。ただし上記のような受信感度に基づいた配置方法はあくまで一例であり、運用の形態に応じて、配置方法を適宜変更可能である。或いは、ランダムに配置を行う形態でもよい。
【００４９】
裏サーチ部１４ｂは、裏サーチの結果に基づいて、系列チャンネルの追加／削除を行ったり、各系列チャンネルのＣ／Ｎ比の値を変更したり、Ｃ／Ｎ比の大きさに基づいて各系列チャンネルの優先順位を変更したりする。
【００５０】
なおサーチ部１４ａは、上記で更新された選局候補テーブルの内容に基づいて、選局を行う。例えば選局候補テーブルが、図３（ｃ）に示す状態であったとする。この場合、ユーザが物理チャンネル１３ｃｈに対応付けられているリモコンボタン、つまり２番ボタンを押下したとしても、この時点では１９ｃｈの受信状態の方が１３ｃｈよりよいため、サーチ部１４ａは１９ｃｈを選局する。
【００５１】
算出部１４ｃは、メインチューナ１１ａまたはメインチューナ１１ｂにより受信中である放送番組、つまりユーザに選局指示された放送番組の内容を解析する。解析する内容としては、ＥＰＧより取得した放送番組のジャンル（＝分野）、放送残り時間、放送局の種別（ＮＨＫか、或いは民放か）等を用いる。そして解析結果に基づいて、ユーザが同番組を視聴し続ける可能性を示す連続視聴可能度（＝受信継続度）の算出を行う。
【００５２】
具体的な算出方法としては例えば、連続視聴可能度の初期値を「０」としたうえで、図４に示す重み付けテーブルを用いた算出処理を行う。図４の例では、放送番組のジャンルがドラマまたは映画である場合は「＋２」、スポーツである場合は「＋１」、ニュースである場合は「０」、バラエティである場合は「−１」の値を加算する。
【００５３】
また放送残り時間に関して、残り時間が一時間以上である場合は「＋２」、一時間未満三十分以上である場合は「＋１」、三十分未満五分以上である場合は「０」、五分未満である場合は「−１」の値を加算する。
【００５４】
また放送局がＮＨＫである場合は「＋１」、民放各社である場合は「０」の値を加算する。これは民放各社の場合、番組途中でコマーシャルが放映されるため、コマーシャル時にユーザが視聴番組を変更する可能性が高いことに対応するものである。
【００５５】
以上から、連続視聴可能度が大きいほど、ユーザが放送局を変更する可能性が低く、逆に連続視聴可能度が小さいほど、ユーザが放送局を頻繁に変更する可能性が高いとみなすことができる。なお上記はあくまで一例であり、各値は車載用受信装置１００の開発時または工場出荷時等において適宜変更可能である。
【００５６】
裏サーチ順変更部１４ｄは、上記で算出された連続視聴可能度を用いて、通常の物理チャンネルと、系列チャンネルとのサーチ比率を変更する。そして変更後のサーチ比率に基づき、裏サーチ順を変更するよう、裏サーチ部１４ｂへ指示する。通常であれば、裏サーチ部１４ｂは、１３ｃｈから６２ｃｈまで順に均等に裏サーチを行う。そして６２ｃｈのサーチが完了すると、再び１３ｃｈから裏サーチを行う、ループ処理を行う。
【００５７】
本発明の裏サーチ順変更部１４ｄは、一物理チャンネルに対する裏サーチをｎ回（ｎは０を含む自然数）行うごとに、系列チャンネルを裏サーチするよう、裏サーチ部１４ｂへ指示する。なお裏サーチ順変更部１４ｄは、連続視聴可能度が大きくなるにつれｎの値を小さくし、連続視聴可能度が小さくなるにつれｎの値を大きくするよう、制御を行う。
【００５８】
例えば連続視聴可能度が３以上であれば、ｎ＝５とし、五つの物理チャンネルを裏サーチするごとに一回、系列チャンネルをサーチするようにサーチ順を変更する。また例えば、連続視聴可能度が２であれば、ｎ＝７とし、七つの物理チャンネルを裏サーチするごとに一回、系列チャンネルをサーチするようにサーチ順を変更する。
【００５９】
また連続視聴可能度が１であれば、ｎ＝１０とし、十の物理チャンネルをサーチするごとに一回、系列チャンネルをサーチするようにサーチ順を変更する。また連続視聴可能度が０以下であれば、サーチ順の変更は行わない。
【００６０】
図５は、連続視聴可能度に基づいてサーチ順が変更された裏サーチ順序の一例を示している。なお図中の丸印で示された物理チャンネルが、優先的に裏サーチされる系列チャンネルを示している。
【００６１】
図５のサーチ順となる前提として、ユーザの視聴している番組が物理チャンネル２４ｃｈであり、この番組の放送局の中継局が２９ｃｈ、３４ｃｈ、４０ｃｈ、系列局が４９ｃｈであるとする。またこの番組が高校野球、つまりジャンルがスポーツの番組であり、放送残り時間が４５分、放送局がＮＨＫであるとする。この場合、図４の重み付けテーブルにより、連続視聴可能度は３であると算出される。
【００６２】
このため図５に示すように、五つの物理チャンネルを裏サーチするごとに一回、系列チャンネルを裏サーチするよう、サーチ順序を変更する。裏サーチ部１４ｂは、この変更されたサーチ順に基づいて裏サーチを行い、選局候補テーブルの更新を行う。
【００６３】
図５に示すサーチ順では、まず左上の１３ｃｈから下方向にサーチが開始される。そして下端の４０ｃｈまでサーチが完了すると、その右隣の列の上端（この例では２９ｃｈ）から下方向にサーチが開始される。この繰り返しを行い、継続的に裏サーチを行う。
〈３．裏サーチ処理について〉
ここで、本発明の一実施形態に係る車載用受信装置１００が実施する裏サーチ処理について、図６のフロー図を用いながら説明する。
【００６４】
本実施形態の処理フローは、ユーザにより車載用受信装置１００の電源が投入された時点で開始される。本処理の開始後、裏サーチ部１４ｂはステップＳ１１０において、サブチューナ１１ｃによる裏サーチを開始する。これにより、全物理チャンネルの受信状態を把握するために、物理チャンネルの１３ｃｈから６２ｃｈまでの全５０ｃｈを対象としたサーチが行われる。
【００６５】
次に裏サーチ部１４ｂはステップＳ１２０において、上記の裏サーチによって検知された信号レベルのＣ／Ｎ比やＮＩＴ情報を物理チャンネルごとに記録し、選局候補テーブル（図３）の作成及び更新を行う。
【００６６】
次に、サーチ部１４ａはステップＳ１３０において、前回電源停止時において選局されていた物理チャンネルによる選局を行う。なおこの物理チャンネルは、後述するステップＳ２４０において記録される物理チャンネルを用いる。また、この選局はメインチューナ１１ａまたはメインチューナ１１ｂに対して行う。
【００６７】
次に算出部１４ｃはステップＳ１４０において、上記の物理チャンネルで受信した放送波、つまりメインチューナ１１ａまたはメインチューナ１１ｂで受信した放送波の内容を解析する。さらに算出部１４ｃはステップＳ１５０において、解析結果に基づいて連続視聴可能度の算出を行う（図４）。
【００６８】
次に裏サーチ順変更部１４ｄはステップＳ１６０において、算出された連続視聴可能度に基づいて、裏サーチ順序の変更を行う（図５）。次に裏サーチ部１４ｂはステップＳ１７０において、上記で変更された裏サーチ順序による裏サーチを開始する。
【００６９】
なおこの際、ステップＳ１１０等で開始された実行中の裏サーチは停止される。ただしステップＳ１６０において、裏サーチ順序の変更を行う必要がないと判定された場合、裏サーチ部１４ｂは実行中の裏サーチを継続して行う。
【００７０】
次に裏サーチ部１４ｂはステップＳ１８０において、裏サーチによって検知された信号レベルのＣ／Ｎ比やＮＩＴ情報に基づき、選局候補テーブルを更新する。これにより、例えば選局候補テーブルが図３（ａ）の状態から図３（ｂ）の状態へ変更される。
【００７１】
次にサーチ部１４ａはステップＳ１９０において、メインチューナ１１ａまたはメインチューナ１１ｂで受信中の放送波の受信状態が悪化したか否かを判定する。受信状態が悪化していない場合、後述するステップＳ２２０へ移行する。受信状態が悪化した場合、サーチ部１４ａはステップＳ２００において、受信中の物理チャンネルが、選局候補テーブルにおいて最も優先順位の高い物理チャンネルであるか否かを判定する。
【００７２】
最も優先順位の高い物理チャンネルである場合、後述するステップＳ２２０へ移行する。最も優先順位の高い物理チャンネルではない場合、つまり優先順位のより高い系列チャンネルが存在する場合、サーチ部１４ａはステップＳ２１０において、最も優先順位の高い系列チャンネルに変更するよう、選局動作を行う。これにより、受信状態の安定した物理チャンネルによる受信を行う。
【００７３】
次にサーチ部１４ａはステップＳ２２０において、ユーザ操作による選局指示を検知したか否かを判定する。選局指示を検知した場合、サーチ部１４ａはステップＳ２２１において、選局指示された放送局の物理チャンネルのうち、最も優先順位の高い系列チャンネルを選局候補テーブルから判別する。そして判別した系列チャンネルによる選局動作をメインチューナ１１ａまたはメインチューナ１１ｂに対して行う。選局動作が完了すると、再びステップＳ１４０へ移行する。
【００７４】
選局指示を検知していない場合、ＣＰＵ１４はステップＳ２３０において、車載用受信装置１００に対する電源停止指示を検知したか否かを判定する。電源停止指示を検知していない場合、再びステップＳ１４０へ移行する。電源停止指示を検知した場合、サーチ部１４ａはステップＳ２４０において、メインチューナ１１ａまたはメインチューナ１１ｂで選局中の物理チャンネルを示すチャンネル情報を、ＲＡＭ１５等に記録する。記録が完了すると、本処理を終了する。
【００７５】
なお、上記のステップＳ１４０〜Ｓ１６０の一連の処理は、同処理を前回実施した時刻から所定時間が経過している場合にのみ、実施することが望ましい。例えば、ユーザが長時間に渡って同一番組を視聴する等、選局が頻繁に行われない状況においては、短い周期でステップＳ１４０〜Ｓ１６０が繰り返し行われる可能性がある。ただしこの場合、処理結果が同一となる可能性が高い。このため、例えば算出部１４ｃが時間監視を行い、ある程度の期間を設けて処理の繰り返しを行う形態でもよい。これにより、不要な処理を削減することができる。
【００７６】
以上に説明した本実施形態によれば、ユーザが同一の番組を視聴し続ける可能性が高い場合は、系列チャンネルを裏サーチする頻度を高めるようサーチ順序を変更し、変更後のサーチ順序で裏サーチを行って選局候補テーブルを更新する。逆に可能性が低い場合は、全物理チャンネルに対して均等にサーチを行って選局候補テーブルを更新することで、ユーザからの選局指示に備える。
【００７７】
つまり系列チャンネルを優先的に裏サーチするか、或いは全物理チャンネルを均等に裏サーチするかを、番組内容に応じて切り替える。これにより、状況に応じた効率のよい裏サーチを実施することが可能である。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７８】
従って本発明は、以下の形態にも適用可能である。
【００７９】
（Ａ）上記実施形態では、本発明の裏サーチ処理を実施するデジタル放送受信装置として、車載用受信装置１００を例に説明しているが、これ以外のデジタル放送受信装置において実施する形態でもよい。例えば、ポータブルテレビやテレビ付き携帯電話、デジタルラジオ等で実施する形態でもよい。
【００８０】
（Ｂ）上記実施形態では、本発明の各種処理に関わる各機能部が、マイクロプロセッサ等の演算処理装置上で所定のプログラムを実行することにより実現されているが、各種機能部が複数の回路により実現される形態でもよい。
【符号の説明】
【００８１】
１００    車載用テレビ（デジタル放送受信装置）
１１      チューナ群（放送受信部）
１１ａ    メインチューナ（第一チューナ）
１１ｂ    メインチューナ（第一チューナ）
１１ｃ    サブチューナ（第二チューナ）
１２      復調部（放送受信部）
１３      操作入力部
１４      ＣＰＵ
１４ａ    サーチ部（選局制御部）
１４ｂ    裏サーチ部（検出部）
１４ｃ    算出部（継続度算出部）
１４ｄ    裏サーチ順変更部（検出制御部）
１５      ＲＡＭ
１６      ＲＯＭ
２１      オーディオフィルタ
２２      オーディオデコーダ
２３      Ｄ／Ａコンバータ
２４      ＬＰＦ／ドライバ
２５      音声出力部
３１      ビデオフィルタ
３２      ビデオデコーダ
３３      画像処理部
３４      Ｄ／Ａコンバータ
３５      ＬＰＦ／ドライバ
３６      画像出力部
【図１】
2012138788.tif 000003
【図２】
2012138788.tif 000004
【図３】
2012138788.tif 000005
【図４】
2012138788.tif 000006
【図５】
2012138788.tif 000007
【図６】
2012138788.tif 000008